(57)【要約】【課題】各種スポーツ観戦などの応援時に装着して用いる応援用グッズであり、特に、帽子に対して着脱自在に組み合わせた房状飾体が着用者の動きに応じて視覚的に変位変化する興趣性に富んだ応援用グッズを提供すること。【解決手段】適宜形態でなる帽子本体２と、多数本のスリットフィルムＳＦを一端で束ねた房状飾体３との組み合わせでなり、一方のコネクト素子５Ａが前記帽子本体２の帽子頂部４に取り付けられ、前記一方のコネクト素子と対をなす他方のコネクト素子５Ｂが前記房状飾体の集束基部６に取り付けられていて、前記一対のコネクト素子により房状飾体を帽子本体に対して着脱自在になしたことを特徴とする応援用グッズ。【選択図】図１
0003114236.tif 000002
【実用新案登録請求の範囲】
【請求項１】
適宜形態でなる帽子本体と、多数本のスリットフィルムを一端で束ねた房状飾体との組み合わせでなり、一方のコネクト素子が前記帽子本体の帽子頂部に取り付けられており、前記一方のコネクト素子と対をなす他方のコネクト素子が前記房状飾体の集束基部に取り付けられていて、前記一対のコネクト素子により房状飾体を帽子本体に対して着脱自在になしたことを特徴とする応援用グッズ。
【請求項２】
前記房状飾体のスリットフィルムが、極めて薄いフィルムシートを細幅状にスリットしたものからなることを特徴とする請求項１に記載の応援用グッズ。
【請求項３】
前記フィルムシートが、着色フィルム、金属蒸着フィルムを含むものからなることを特徴とする請求項２に記載の応援用グッズ。
【請求項４】
前記房状飾体が、前記多数本のスリットフィルムを集束基部で束ねる際、芯側と外周囲側とが異なる色合いのものからなり、使用者が着用してジャンプアップするときには芯側の色合いが表出し、ジャンプダウンするときには外周囲側の色合いが表出するようにしたものからなることを特徴とする請求項１〜請求項３のいずれかに記載の応援用グッズ。
【考案の詳細な説明】
【技術分野】
【０００１】
この考案は、各種スポーツ観戦などにおいて、その応援時に装着して用いる応援用グッズに係るものであり、特に、帽子に対して着脱自在に組み合わせた房状飾体が着用者の動きに応じて視覚的に変位変化する興趣性に富んだものであって、帽子に対して適用したものであることから、着用者は、手足を自由に使用できるという応援効果の増長に寄与する応援用グッズに関するものだる。
【背景技術】
【０００２】
周知のように、各種スポーツ観戦などにおいては、大勢の観戦者が互いに一体感を持ち合って集団となって応援することがしばしば見受けられる。そのような場合、各観戦者は、予め準備してある各種の応援用グッズを携帯して、試合会場あるいはスタンドに入場し、これらの応援用グッズを用いて、集団としての応援合戦を繰りひろげている。
【０００３】
上記する各種スポーツ観戦などに用いられていた従来の応援用グッズは、プラスチック製のメガホン、バットおもちゃ、バット状の拍子木おもちゃなどであり、あるいは風船、傘おもちゃ、タオルなどであった。これら従来の応援用グッズは、手にもって使用する小道具であり、応援の最中には、手を自由にすることができないものであった。
【考案の開示】
【考案が解決しようとする課題】
【０００４】
そこで、この考案は、上記する従来の応援用グッズに見られる問題点などを解消するとともに、従来にない応援形態を奏する興趣性に富んだ応援用グッズを提供することにある。
【課題を解決するための手段】
【０００５】
この考案は、上記する目的を達成するにあたって、請求項１に記載の考案は、適宜形態でなる帽子本体と、多数本のスリットフィルムを一端で束ねた房状飾体との組み合わせでなり、一方のコネクト素子が前記帽子本体の帽子頂部に取り付けられており、前記一方のコネクト素子と対をなす他方のコネクト素子が前記房状飾体の集束基部に取り付けられていて、前記一対のコネクト素子により房状飾体を帽子本体に対して着脱自在になしたことを特徴とする応援用グッズを構成するものである。
【０００６】
さらに、この考案において請求項２に記載の考案は、請求項１に記載の応援用グッズであって、前記房状飾体のスリットフィルムが、極めて薄いフィルムシートを細幅状にスリットしたものからなることを特徴とするものである。
【０００７】
さらにまた、この考案において請求項３に記載の考案は、請求項２に記載の応援用グッズであって、前記フィルムシートが、着色フィルム、金属蒸着フィルムを含むものからなることを特徴とするものである。
【０００８】
さらにまた、この考案において請求項４に記載の考案は、請求項１〜請求項３のいずれかに記載の応援用グッズであって、前記房状飾体が、前記多数本のスリットフィルムを集束基部で束ねる際、芯側と外周囲側とが異なる色合いのものからなり、使用者が着用してジャンプアップするときには芯側の色合いが表出し、ジャンプダウンするときには外周囲側の色合いが表出するようにしたものからなることを特徴とする請求項１〜請求項３のいずれかに記載の応援用グッズ。
【考案の効果】
【０００９】
この考案になる応援用グッズは、適宜形態の帽子と、この帽子の頂部に着脱自在な房状飾体との組み合わせでなるものであって、当該応援用グッズを帽子に適用した点において、観戦者は、この帽子を着用して、姿態を適宜動かすだけで、一体感のある応援に参加することができ、応援期間中、手足が自由であり、他の応援グッズを併用して、より多様性に富んだ応援をすることができるなどの点において、極めて有効に作用するものといえる。
【００１０】
さらに、この考案になる応援用グッズは、房状飾体が、多数本のスリットフィルムを集束基部で束ねる際、芯側と外周囲側とが異なる色合いのものにより構成してあるので、使用者が着用してジャンプアップするときには芯側の色合いが表出し、ジャンプダウンするときには外周囲側の色合いが表出という興趣性に富んだ応援パターンを具現できる点においても極めて有効に作用するものといえる。
【考案を実施するための最良の形態】
【００１１】
以下、この考案になる応援用グッズについて、図面に示す具体的な実施例に基づいて詳細に説明する。図１は、この考案になる応援用グッズ１の一実施例を示すものであって、帽子本体２と、房状飾体３とを分離して示す概略的な斜視図であり、図２は、当該応援用グッズの着用時の状態を示すものであって、図２Ａは、ジャンプアップの状態を示す概略的な斜視図であり、図２Ｂは、ジャンプダウンの状態を示す概略的な斜視図である。
【００１２】
この考案になる応援用グッズ１は、図に示すような野球帽などの適宜形態でなる帽子本体２と、多数本のスリットフィルムＳＦを一端で束ねた房状飾体３との組み合わせによって構成されるものである。前記帽子本体２に対しては、その帽子頂部４に、帽子本体２と房状飾体３とを着脱自在に連結するための連結手段５を構成する一方のコネクト素子５Ａが取り付けられており、前記房状飾体３に対しては、その集束基部６に、前記一方のコネクト素子５Ａと対をなす他方のコネクト素子５Ｂが取り付けられている。
【００１３】
前記連結手段５は、既製品としての安価に入手可能な金属製スナップ、少なくとも一方が磁気を帯びたマジック型スナップ、あるいは、一対のベルベット式ファスナー、さらには、これらに類するものであって、容易に着脱が可能な連結手段によって構成されるものである。
【００１４】
一方、前記房状飾体３のスリットフィルムＳＦは、例えば、塩化ビニルフィルム、ポリエステルフィルム、ナイロンフィルム、ポリプロピレンフィルムなどの厚さ約２０μ〜５００μ程度の極薄いフィルムを、幅寸法が約１ｍｍ〜８ｍｍ程度にスリットしたものが適用される。なお、この考案では、上記する素材の表面に光輝性の金属反射層を設けたものとして、金属蒸着膜、金属粉末塗料層、金属薄膜を付設したものであってもよいし、あるいは、必要に応じてその上にカラー層を設けたものであてもよい。これらの層は、片面であってもよいし、あるいは両面であってもよい。
【００１５】
このようにして得られたスリットフィルムＳＦを、その一端側を束ねて集束基部６を形成し、該集束基部６の底面部分に、連結手段５をなすコネクト素子５Ｂを取り付け、房状飾体３を構成する。この場合、特に、図２に示すような使用形態とするためには、前記多数本のスリットフィルムＳＦを集束基部６で束ねる際、芯側３ａと外周囲側３ｂとを異なる色合いのものにより構成することによって、使用者が着用してジャンプアップするときには芯側３ａの色合いが表出し、ジャンプダウンするときには外周囲側３ｂの色合いが表出するという独特な視覚的効果を奏する。
【図面の簡単な説明】
【００１６】
【図１】図１は、この考案になる応援用グッズの一実施例を示すものであって、帽子本体と、房状飾体とを分離して示す概略的な斜視図である。
【図２】図２は、当該応援用グッズの着用時の状態を示すものであって、図２Ａは、ジャンプアップの状態を示す概略的な斜視図であり、図２Ｂは、ジャンプダウンの状態を示す概略的な斜視図である。
【符号の説明】
【００１７】
１  応援用グッズ
２  帽子本体
３  房状飾体
３ａ  房状飾体の芯側
３ｂ  房状飾体の外周囲側
ＳＦ  スリットフィルム
４  帽子頂部
５  連結手段
５Ａ  一方のコネクト素子
５Ｂ  他方のコネクト素子
６  集束基部
【図１】
0003114236.tif 000003
【図２】
0003114236.tif 000004